(57)【特許請求の範囲】
【請求項１】
内周面の軸方向片側に大径側外輪軌道を、同じく軸方向他側に直径がこの大径側外輪軌道に比較して小さい小径側外輪軌道を、それぞれ有する、全体を一体に造られた外輪と、外周面の軸方向片側に大径側内輪軌道を、同じく軸方向他側に直径がこの大径側内輪軌道に比較して小さい小径側内輪軌道を、それぞれ有する、全体を一体に造られた内輪と、円周方向複数箇所にポケットを有する円環状の大径側保持器と、円周方向複数箇所にポケットを有する、直径がこの大径側保持器に比較して小さい円環状の小径側保持器と、前記大径側保持器の各ポケット内に保持された状態で、前記大径側外輪軌道と前記大径側内輪軌道との間に転動自在に設けられた、大径側玉列を構成する複数個の玉と、前記小径側保持器の各ポケット内に保持された状態で、前記小径側外輪軌道と前記小径側内輪軌道との間に転動自在に設けられた、小径側玉列を構成する複数個の玉とを備え、前記大径側玉列を構成する各玉と前記小径側玉列を構成する各玉とに、互いに同じ向きの接触角が付与されており、自動車の動力伝達系統に組み込まれる機械装置を構成する回転軸を回転自在に支持すると共に、この回転軸に作用するラジアル、アキシアル両方向の荷重を支承する為に使用するタンデム型複列アンギュラ玉軸受に於いて、前記外輪が、前記大径側外輪軌道の軸方向両側部分、及び、前記小径側外輪軌道の軸方向両側部分に、それぞれ溝肩部を有するものであり、前記内輪が、前記大径側内輪軌道の軸方向片側部分、及び、前記小径側内輪軌道の軸方向片側部分に、それぞれ溝肩部を有すると共に、前記大径側内輪軌道の軸方向他側部分、及び、前記小径側内輪軌道の軸方向他側部分に、それぞれ溝肩部を有しないものであり、前記大径側、小径側両保持器が、前記各ポケット内に前記各玉を保持した状態で、これら各ポケット内からこれら各玉が内径側に抜け出る事を阻止できる形状を有するものとする為に、前記各ポケットの内径側の開口幅を、前記各玉の直径よりも、前記両保持器を弾性変形させた状態でこれら各玉を通過させるが、これら両保持器が弾性変形していない状態ではこれら各玉を通過させない程度だけ小さくしたものである事を特徴とするタンデム型複列アンギュラ玉軸受。
【発明の詳細な説明】
【技術分野】
【０００１】
この発明は、自動車用のデファレンシャル装置、トランスファ装置等の回転機械装置に組み込まれて、ラジアル荷重及びスラスト荷重が加わった状態で回転する回転軸を支承する為のタンデム型複列アンギュラ玉軸受の改良に関する。
【背景技術】
【０００２】
自動車用のデファレンシャル装置の運転時にピニオン軸には、大きなラジアル荷重及びスラスト荷重が同時に加わる為、このピニオン軸を支持する為の軸受として、ラジアル、スラスト両方向の負荷容量が十分に大きなものを使用する必要がある。この為、従来は、特許文献１等に記載されている様に、接触角の方向が互いに異なる（背面組み合わせ型の）１対の円すいころ軸受により、前記ピニオン軸を前記デファレンシャルケースの内部に、回転自在に支持していた。
【０００３】
しかしながら、転がり軸受の技術分野で周知の様に、円すいころ軸受は玉軸受に比べて、負荷容量が大きい代わりに、動トルク（回転抵抗）が大きい。この為、近年に於ける自動車の省燃費化の流れにより、デファレンシャルケースに対してピニオン軸を支持する為の１対の転がり軸受のうちの少なくとも一方の転がり軸受として、ラジアル、スラスト両方向の荷重を支承可能な、タンデム型複列アンギュラ玉軸受を使用する事が、前記特許文献１等に記載されている様に、従来から考えられている。タンデム型複列アンギュラ玉軸受は、運転時に円すいころ軸受の場合の様な大きな滑り接触を伴わないので、動トルクを低く抑えられ、デファレンシャルギヤの抵抗を低くできる。
【０００４】
図９〜１１は、この様なタンデム型複列アンギュラ玉軸受の従来構造の１例として、前記特許文献１に記載されたものを示している。この図９〜１１に示したタンデム型複列アンギュラ玉軸受は、外輪１と、内輪２と、大径側、小径側両保持器３、４と、大径側、小径側両玉列を構成する複数個の玉５、５とを備える。このうちの外輪１は、内周面に、互いの内径が異なる、複列アンギュラ型の大径側、小径側両外輪軌道６、７を設けている。又、前記内輪２は、外周面に、互いの外径が異なる、複列アンギュラ型の大径側、小径側両内輪軌道８、９を設けている。又、前記大径側、小径側両保持器３、４は、全体を円環状に構成すると共に、円周方向等間隔の複数箇所にポケット１０、１１を有する。又、前記大径側玉列を構成する各玉５、５は、前記大径側保持器３の各ポケット１０、１０内に保持された状態で、前記大径側外輪軌道６と前記大径側内輪軌道８との間に転動自在に設けられている。又、前記小径側玉列を構成する各玉５、５は、前記小径側保持器４の各ポケット１１、１１内に保持された状態で、前記小径側外輪軌道７と前記小径側内輪軌道９との間に転動自在に設けられている。又、この状態で、前記大径側玉列を構成する各玉５、５と前記小径側玉列を構成する各玉５、５とに、互いに同じ向きの（並列組み合わせ型の）接触角が付与されている。これら両列の接触角θ1、θ2の大きさは、同じにする（θ1＝θ2）事もできるし、異ならせる（θ1≠θ2）事もできる。
【０００５】
又、前記外輪１は、前記大径側、小径側両外輪軌道６、７の軸方向片側（軸方向に関して「片側」とは、図９〜１１の左側を言う。反対に、図９〜１１の右側を、軸方向に関して「他側」と言う。）に溝肩部を設けておらず、軸方向他側にのみ溝肩部１２ｂ、１３ｂを設けている。これに対して、前記内輪２は、前記大径側、小径側両内輪軌道８、９の軸方向両側に、それぞれ溝肩部１４ａ、１４ｂ、１５ａ、１５ｂを設けている。又、前記大径側、小径側両保持器３、４は、前記各ポケット１０、１１内に前記各玉５、５を保持した状態で、これら各玉５、５がこれら各ポケット１０、１１内から径方向に抜け出る事を阻止できる構成（これら各ポケット１０、１１の形状）を有している。
【０００６】
上述の様に構成するタンデム型複列アンギュラ玉軸受を組み立てる場合には、先ず、図１０に実線で示す様な、内輪側組立品１６を組み立てる。この為に、先ず、同図に鎖線で示す様に、前記各玉５、５を、前記大径側、小径側両保持器３、４の各ポケット１０、１１内に保持する。尚、この大径側保持器３の各ポケット１０、１０内に保持されている各玉５、５を、この大径側保持器３を弾性変形させる事なく、この大径側保持器３の外径側に最も寄せた状態での、これら各玉５、５の内接円の直径は、少なくとも前記大径側内輪軌道８の軸方向両側部分に存在する溝肩部１４ａ、１４ｂの外径よりも小さい。又、前記小径側保持器４の各ポケット１１、１１内に保持されている各玉５、５を、この小径側保持器４を弾性変形させる事なく、この小径側保持器４の外径側に最も寄せた状態での、これら各玉５、５の内接円の直径は、少なくとも前記小径側内輪軌道９の軸方向両側に存在する溝肩部１５ａ、１５ｂの外径よりも小さい。そして、上述の様に各玉５、５を大径側、小径側両保持器３、４の各ポケット１０、１１内に保持したならば、次いで、同図に矢印で示す様に、これら大径側、小径側両保持器３、４に保持された各玉５、５を、前記内輪２の外径側に、この内輪２の軸方向他側から進入させる。これにより、同図に実線で示す様に、前記大径側、小径側両保持器３、４に保持された各玉５、５を、前記大径側、小径側両内輪軌道８、９の外径側に組み付ける。この際に、前記大径側、小径側両保持器３、４に保持された各玉５、５は、これら大径側、小径側両保持器３、４を弾性変形させて、これら各玉５、５の内接円の直径を拡げつつ、前記各溝肩部１４ｂ、１５ａ、１５ｂを通過する。そして、通過後は、前記大径側、小径側両保持器３、４の弾性的復元により前記各玉５、５の内接円の直径が縮まり、これら各玉５、５が前記大径側、小径側両内輪軌道８、９の外径側に組み付けられた状態となる。
【０００７】
この様にして前記内輪側組立品１６を完成させた状態で、前記大径側、小径側両保持器３、４に保持された各玉５、５は、これら大径側、小径側両保持器３、４の各ポケット１０、１１内から外径側に抜け出る事を阻止されており、且つ、前記大径側、小径側両内輪軌道８、９から軸方向に抜け出る事を、前記各溝肩部１４ａ、１４ｂ、１５ａ、１５ｂによって阻止されている。この為、前記内輪２と前記大径側、小径側両保持器３、４と前記各玉５、５とは、前記内輪側組立品１６として一体的に取り扱う事が可能となる。この様な内輪側組立品１６を組み立てたならば、その後、図１１に示す様に、この内輪側組立品１６を前記外輪１の内径側に、この外輪１の軸方向片側から挿入する。これにより、図９に示す様に、前記大径側、小径側両保持器３、４に保持された各玉５、５を、前記大径側、小径側両外輪軌道６、７の内径側に組み付ける事によって、前記タンデム型複列アンギュラ玉軸受の組み立てを完了する。尚、図示の構造の場合、前記大径側、小径側両外輪軌道６、７の軸方向片側部分には、それぞれ溝肩部が存在しない為、上述の様な内輪側組立体１６の挿入作業は、円滑に行える。
【０００８】
上述の様なタンデム型複列アンギュラ玉軸受によれば、このタンデム型複列アンギュラ玉軸受を、外輪１と内輪側組立品１６との、２つの要素に分けて取り扱える。この為、この内輪側組立品１６を軸受メーカーで組み立ててから出荷すれば、デファレンシャル装置等の各種回転機械装置の組立現場で、前記タンデム型複列アンギュラ玉軸受を使用箇所に組み付ける作業を容易に行える。
【０００９】
例えば、デファレンシャル装置を構成するピニオン軸の先端寄り（ピニオンギヤ寄り）部分を支持する転がり軸受の場合には、この転がり軸受を構成する外輪を、デファレンシャルケース内に設けた支持孔に締り嵌めで内嵌すると共に、同じく内輪を、前記ピニオン軸の先端寄り部分に締り嵌めで外嵌する必要がある。この理由は、デファレンシャル装置の運転時に、前記外輪及び内輪と相手部材との嵌合部でクリープが発生する事を防止して、これら両嵌合部に、摩耗に基づくがたつきが発生する事を防止する為である。但し、当該転がり軸受の全体を組み立てた状態で、前記外輪を前記支持孔に、前記内輪を前記ピニオン軸の先端寄り部分に、それぞれ締り嵌めで嵌合固定する事はできない。この理由は、この嵌合固定作業に伴い、外輪、内輪各軌道の一部で、各転動体の転動面が接触している部分に、圧痕が形成され、前記転がり軸受の運転時に、過大な振動や騒音が発生する原因となるだけでなく、耐久性が著しく損なわれる為である。従って、当該転がり軸受を、前記支持孔の内周面と前記ピニオン軸の外周面との間に組み付ける場合には、前記外輪を前記支持孔に締り嵌めで内嵌し、前記内輪を前記ピニオン軸の先端寄り部分に締り嵌めで外嵌してから、これら外輪と内輪とを、前記各転動体を介して組み合わせる必要がある。但し、この場合に、これら外輪と内輪とのうちの何れか一方の軌道輪と前記各転動体とを一体に取り扱える構造になっていないと、当該転がり軸受を、前記支持孔の内周面と前記ピニオン軸の外周面との間に組み付ける作業が面倒になる。
【００１０】
これに対し、前述の図９〜１１に示した従来のタンデム型複列アンギュラ玉軸受を使用する場合には、内輪２を前記ピニオン軸の先端寄り部分に締り嵌めで外嵌する以前から、この内輪２を大径側、小径側両保持器３、４及び各玉５、５と共に、内輪側組立品１６として一体的に取り扱える。即ち、この内輪側組立品１６を組み立てた状態でも、前記内輪２を前記ピニオン軸に締り嵌めで外嵌する作業を、この内輪２の軸方向端面を押圧する事によって行えば、この外嵌作業に伴って、前記大径側、小径側両内輪軌道８、９のうち、前記各玉５、５の転動面が接触している部分に、圧痕が形成される事はない。この為、前記タンデム型複列アンギュラ玉軸受を前記支持孔の内周面と前記ピニオン軸の外周面との間に、構成部材を損傷せずに組み付ける作業を、容易に行える。
【００１１】
ところが、上述した従来のタンデム型複列アンギュラ玉軸受の場合には、次の様な解決すべき問題を抱えている。
第一の問題は、前記大径側、小径側両外輪軌道６、７の軸方向片側部分に、それぞれ溝肩部が存在しない事に起因する問題である。例えば、一部のデファレンシャル装置の様に、運転時にのみ軸受に潤滑油が供給される装置に、上述した従来のタンデム型複列アンギュラ玉軸受を組み付けて使用すると、停止時には、前記大径側、小径側両外輪軌道６、７の下端部に潤滑油が溜まったままの状態にならず、これら大径側、小径側両外輪軌道６、７の下端部の軸方向片側部分を通じて潤滑油が外部に流失する。この為、運転を再開した際の初期潤滑を良好にするのが難しいと言った問題がある。
第二の問題は、前記内輪側組立品１６を組み立てた状態で、この内輪側組立品１６の径方向の最外部に、複数個の玉５、５が露出した状態となる事に起因する問題である。即ち、タンデム型複列アンギュラ玉軸受を組み立てる前の、搬送中に、前記内輪側組立品１６を構成する各玉５、５が他の物品にぶつかり易く、これら各玉５、５の転動面に、傷等の損傷が生じ易いと言った問題がある。
上述した何れの問題も、タンデム型複列アンギュラ玉軸受の耐久性の低下に結び付く問題である為、解決する事が望まれる。
【先行技術文献】
【特許文献】
【００１２】
【特許文献１】特開２００４−１２４９９６号公報
【発明の概要】
【発明が解決しようとする課題】
【００１３】
本発明のタンデム型複列アンギュラ玉軸受は、上述の様な事情に鑑み、運転再開時の初期潤滑を良好にできて、且つ、２つの要素に分けて取り扱え、しかも、搬送中に複数個の玉が他の物品にぶつかりにくい構造を実現すべく発明したものである。
【課題を解決するための手段】
【００１４】
本発明のタンデム型複列アンギュラ玉軸受は、内周面の軸方向片側に大径側外輪軌道を、同じく軸方向他側に直径がこの大径側外輪軌道に比較して小さい小径側外輪軌道を、それぞれ有する、全体を一体に造られた外輪と、外周面の軸方向片側に大径側内輪軌道を、同じく軸方向他側に直径がこの大径側内輪軌道に比較して小さい小径側内輪軌道を、それぞれ有する、全体を一体に造られた内輪と、円周方向複数箇所にポケットを有する円環状の大径側保持器と、円周方向複数箇所にポケットを有する、直径がこの大径側保持器に比較して小さい円環状の小径側保持器と、前記大径側保持器の各ポケット内に保持された状態で、前記大径側外輪軌道と前記大径側内輪軌道との間に転動自在に設けられた、大径側玉列を構成する複数個の玉と、前記小径側保持器の各ポケット内に保持された状態で、前記小径側外輪軌道と前記小径側内輪軌道との間に転動自在に設けられた、小径側玉列を構成する複数個の玉とを備え、前記大径側玉列を構成する各玉と前記小径側玉列を構成する各玉とに、互いに同じ向きの接触角が付与されている。そして、自動車の動力伝達系統に組み込まれる機械装置を構成する回転軸を回転自在に支持すると共に、この回転軸に作用するラジアル、アキシアル両方向の荷重を支承する為に使用する。
【００１５】
特に、本発明のタンデム型複列アンギュラ玉軸受に於いては、前記外輪が、前記大径側外輪軌道の軸方向両側部分、及び、前記小径側外輪軌道の軸方向両側部分に、それぞれ溝肩部を有する。又、前記内輪が、前記大径側内輪軌道の軸方向片側部分、及び、前記小径側内輪軌道の軸方向片側部分に、それぞれ溝肩部を有すると共に、前記大径側内輪軌道の軸方向他側部分、及び、前記小径側内輪軌道の軸方向他側部分に、それぞれ溝肩部を有しない。更に、前記大径側、小径側両保持器が、前記各ポケット内に前記各玉を保持した状態で、これら各ポケット内からこれら各玉が内径側に抜け出る事を阻止できる形状を有する。この為に具体的には、前記各ポケットの内径側の開口幅を、前記各玉の直径よりも、前記両保持器を弾性変形させた状態でこれら各玉を通過させるが、これら両保持器が弾性変形していない状態ではこれら各玉を通過させない程度だけ小さくしている。
【発明の効果】
【００１６】
上述の様に構成する本発明のタンデム型複列アンギュラ玉軸受の場合には、大径側、小径側両外輪軌道の軸方向両側に溝肩部が設けられている。この為、例えば、一部のデファレンシャル装置の様に、運転時にのみ軸受に潤滑油が供給される装置に、本発明のタンデム型複列アンギュラ玉軸受を組み付けて使用する場合には、運転の停止時に、大径側、小径側両外輪軌道の下端部に、潤滑油が溜まったままの状態にできる。従って、運転を再開した際の、両列の初期潤滑を良好にできる。即ち、大径側、小径側両外輪軌道のそれぞれの軸方向両側に溝肩部が存在するので、運転の停止時に、これら大径側、小径側両外輪軌道の下端部に潤滑油が溜まったままの状態になる。この為、運転を再開した際には、これら両下端部に溜まっている潤滑油によって、両列の初期潤滑を良好にできる。
【００１７】
又、本発明の場合には、外輪と、大径側、小径側両保持器と、大径側、小径側両玉列を構成する各玉とを、タンデム型複列アンギュラ玉軸受の組み立て完了時と同じ状態に組み合わせる事により、これら各部品を外輪側組立品として一体的に取り扱う事ができる。
【００１８】
即ち、本発明の場合、外輪と、大径側、小径側両保持器と、大径側、小径側両玉列を構成する各玉とを、タンデム型複列アンギュラ玉軸受の完成状態と同じ位置関係に組み合わせて成る、外輪側組立品を構成した状態で、大径側、小径側両保持器の各ポケット内に保持された各玉は、これら各ポケット内から内径側に抜け出る事を阻止されると共に、大径側、小径側両外輪軌道の内側から軸方向に抜け出る事を、これら大径側、小径側両外輪軌道の軸方向両側に存在する溝肩部によって阻止される。従って、外輪と、大径側、小径側両保持器と、大径側、小径側両玉列を構成する各玉とを、外輪側組立品として一体的に取り扱う事ができる。
この結果、本発明の場合には、タンデム型複列アンギュラ玉軸受を、外輪側組立品と内輪との、２つの構成要素に分けて取り扱える。この為、この外輪側組立品を軸受メーカー等で組み立ててから出荷すれば、デファレンシャル装置等の各種回転機械装置の組立現場で、本発明のタンデム型複列アンギュラ玉軸受を使用箇所に組み付ける作業を容易に行える。
特に、本発明の場合、外輪側組立品を組み立てた状態で、複数個の玉は、外輪の内径側に配置される。この為、タンデム型複列アンギュラ玉軸受を組み立てる前の、搬送中に、各玉が他の物品にぶつかって損傷すると言った問題が発生する事を回避できる。
【図面の簡単な説明】
【００１９】
【図１】本発明の実施の形態の１例を示す断面図。
【図２】玉を保持した保持器の一部を示す断面図。
【図３】外輪側組立品を組み立てる状況を示す断面図。
【図４】外輪側組立品と内輪とを組み合わせてタンデム型複列アンギュラ玉軸受を完成させる状況を示す断面図。
【図５】本発明に関する参考例の第１例を示す断面図。
【図６】外輪側組立品を組み立てる状況を示す断面図。
【図７】本発明に関する参考例の第２例を示す断面図。
【図８】外輪側組立品を組み立てる状況を示す断面図。
【図９】従来構造の１例を示す断面図。
【図１０】内輪側組立品を組み立てる状況を示す断面図。
【図１１】外輪と内輪側組立品とを組み合わせてタンデム型複列アンギュラ玉軸受を完成させる状況を示す断面図。
【発明を実施するための形態】
【００２０】
［本発明の実施の形態の１例］
図１〜４は、本発明の実施の形態の１例を示している。本例のタンデム型複列アンギュラ玉軸受は、外輪１ａと、内輪２ａと、大径側、小径側両保持器３ａ、４ａと、大径側、小径側両玉列を構成する複数個の玉５、５とを備える。このうちの外輪１ａは、全体を一体に造られたもので、内周面に、互いの内径が異なる、複列アンギュラ型の大径側、小径側両外輪軌道６、７を設けている。又、前記内輪２ａは、全体を一体に造られたもので、外周面に、互いの外径が異なる、複列アンギュラ型の大径側、小径側両内輪軌道８、９を設けている。又、前記大径側、小径側両保持器３ａ、４ａは、全体を円環状に構成すると共に、円周方向等間隔の複数箇所にポケット１０ａ、１１ａを有する。又、前記大径側玉列を構成する各玉５、５は、前記大径側保持器３ａの各ポケット１０ａ、１０ａ内に保持された状態で、前記大径側外輪軌道６と前記大径側内輪軌道８との間に転動自在に設けられている。又、前記小径側玉列を構成する各玉５、５は、前記小径側保持器４ａの各ポケット１１ａ、１１ａ内に保持された状態で、前記小径側外輪軌道７と前記小径側内輪軌道９との間に転動自在に設けられている。又、この状態で、前記大径側玉列を構成する各玉５、５と前記小径側玉列を構成する各玉５、５とに、互いに同じ向きの（並列組み合わせ型の）接触角が付与されている。これら両列の接触角θ1、θ2の大きさは、同じにする（θ1＝θ2）事もできるし、異ならせる（θ1≠θ2）事もできる。以上に述べた、タンデム型複列アンギュラ玉軸受の基本的構成に就いては、前述の図９に示した従来構造の場合と同様である。
【００２１】
特に、本例の場合、前記外輪１ａは、前記大径側、小径側両外輪軌道６、７の軸方向両側に、それぞれ溝肩部１２ａ、１２ｂ、１３ａ、１３ｂを設けている。これに対して、前記内輪２ａは、前記大径側、小径側両内輪軌道８、９の軸方向片側（軸方向に関して「片側」とは、図１、３〜８の左側を言う。反対に、図１、３〜８の右側を、軸方向に関して「他側」と言う。）にのみ溝肩部１４ａ、１５ａを設けており、軸方向他側には溝肩部を設けていない。又、前記大径側、小径側両保持器３ａ、４ａは、前記各ポケット１０ａ、１１ａ内に前記各玉５、５を保持した状態で、これら各玉５、５がこれら各ポケット１０ａ、１１ａ内から少なくとも内径側に抜け出る事を阻止できる構成を有している。具体的には、図２に詳示する様に、前記大径側、小径側両保持器３ａ（４ａ）の各ポケット１０ａ（１１ａ）の内径側の開口幅（開口部直径）Ｗを、前記各玉５の直径Ｄよりも少しだけ小さく（Ｗ＜Ｄ）している。これにより、これら各ポケット１０ａ（１１ａ）の内径側の開口周縁部に、（Ｄ−Ｗ）／２弱（「弱」はポケット隙間による）の幅寸法を有する係り代１７を、全周に亙って設けている。
【００２２】
上述の様に構成するタンデム型複列アンギュラ玉軸受を組み立てる場合には、先ず、図３に実線で示す様な、外輪側組立品１８を組み立てる。この為に、先ず、同図に鎖線で示す様に、前記各玉５、５を、前記大径側、小径側両保持器３ａ、４ａの各ポケット１０ａ、１１ａ内に保持する。尚、この大径側保持器３ａの各ポケット１０ａ、１０ａ内に保持されている各玉５、５を、この大径側保持器３ａを弾性変形させる事なく、この大径側保持器３ａの内径側に最も寄せた状態での、これら各玉５、５の外接円の直径は、少なくとも前記大径側外輪軌道６の軸方向両側部分に存在する溝肩部１２ａ、１２ｂの内径よりも大きい。又、前記小径側保持器４ａの各ポケット１１ａ、１１ａ内に保持されている各玉５、５を、この小径側保持器４ａを弾性変形させる事なく、この小径側保持器４ａの内径側に最も寄せた状態での、これら各玉５、５の外接円の直径は、少なくとも前記小径側外輪軌道７の軸方向両側に存在する溝肩部１３ａ、１３ｂの内径よりも大きい。何れにしても、上述の様に各玉５、５を大径側、小径側両保持器３ａ、４ａの各ポケット１０ａ、１１ａ内に保持したならば、次いで、同図に矢印で示す様に、これら大径側、小径側両保持器３ａ、４ａに保持された各玉５、５を、前記外輪１ａの内径側に、この外輪１ａの軸方向片側から挿入する。これにより、同図に実線で示す様に、前記大径側、小径側両保持器３ａ、４ａに保持された各玉５、５を、前記大径側、小径側両外輪軌道６、７の内径側に組み付ける。この際に、前記大径側、小径側両保持器３ａ、４ａに保持された各玉５、５は、これら大径側、小径側両保持器３ａ、４ａを弾性変形させて、これら各玉５、５の外接円の直径を縮めつつ、前記各溝肩部１２ａ、１２ｂ、１３ａを通過する。そして、通過後は、前記大径側、小径側両保持器３ａ、４ａの弾性的復元により前記各玉５、５の外接円の直径が拡がり、これら各玉５、５が前記大径側、小径側両外輪軌道６、７の内径側に組み付けられた状態となる。
【００２３】
この様にして前記外輪側組立品１８を完成させた状態で、前記大径側、小径側両保持器３ａ、４ａに保持された各玉５、５は、これら大径側、小径側両保持器３ａ、４ａの各ポケット１０ａ、１１ａ内から内径側に抜け出る事を阻止されており、且つ、前記大径側、小径側両外輪軌道６、７の内側から軸方向に抜け出る事を、前記各溝肩部１２ａ、１２ｂ、１３ａ、１３ｂによって阻止されている。この為、前記外輪１ａと前記大径側、小径側両保持器３ａ、４ａと前記各玉５、５とは、前記外輪側組立品１８として一体的に取り扱う事が可能となる。この様な外輪側組立品１８を組み立てたならば、その後、図４に矢印で示す様に、この外輪側組立品１８の内径側に前記内輪２ａを、この外輪側組立品１８の軸方向片側から挿入する。これにより、図１に示す様に、前記大径側、小径側両保持器３ａ、４ａに保持された各玉５、５を、前記大径側、小径側両内輪軌道８、９の外径側に組み付ける事によって、タンデム型複列アンギュラ玉軸受の組み立てを完了する。尚、本例の場合、前記大径側、小径側両内輪軌道８、９の軸方向他側部分には、それぞれ溝肩部が存在しない為、上述の様な内輪２ａの挿入作業は、円滑に行える。
【００２４】
上述の様に構成する本例のタンデム型複列アンギュラ玉軸受によれば、このタンデム型複列アンギュラ玉軸受を、外輪側組立品１８と内輪２ａとの、２つの要素に分けて取り扱える。この為、この外輪側組立品１８を軸受メーカーで組み立ててから出荷すれば、デファレンシャル装置等の各種回転機械装置の組立現場で、前記タンデム型複列アンギュラ玉軸受を使用箇所に組み付ける作業を容易に行える。
【００２５】
例えば、本例のタンデム型複列アンギュラ玉軸受を、デファレンシャル装置を構成するピニオン軸の先端寄り（ピニオンギヤ寄り）部分を支持する転がり軸受として使用する場合には、前記外輪側組立品１８を組み立てた状態で、前記外輪１ａを、デファレンシャルケース内に設けた支持孔に締り嵌めで内嵌すると共に、前記内輪２ａを、前記ピニオン軸の先端寄り部分に締り嵌めで外嵌する。この場合に、前記外輪１ａは、この外輪１ａの軸方向端面を押圧する事によって、前記支持孔に締り嵌めで内嵌する事ができる。この為、この内嵌作業に伴って、前記大径側、小径側両外輪軌道６、７のうち前記各玉５、５が接触している部分に圧痕が形成される事はない。その後、前記外輪側組立品１８の内径側に前記内輪２ａを、前述の図４に示す様に挿入する事によって、本例のタンデム型複列アンギュラ玉軸受を、前記支持孔と前記ピニオン軸との間に、容易に組み付ける事ができる。
【００２６】
又、本例のタンデム型複列アンギュラ玉軸受の場合には、前記大径側、小径側両外輪軌道６、７の軸方向両側に、それぞれ溝肩部１２ａ、１２ｂ、１３ａ、１３ｂを設けている。この為、例えば、一部のデファレンシャル装置の様に、運転時にのみ軸受に潤滑油が供給される装置に、本例のタンデム型複列アンギュラ玉軸受を組み付けて使用する場合には、運転の停止時に、前記大径側、小径側両外輪軌道６、７の下端部に、潤滑油が溜まったままの状態にできる。この為、運転を再開した際に、これら両下端部に溜まった潤滑油によって、両列の初期潤滑を良好にできる。
【００２７】
［本発明に関する参考例の第１例］
図５〜６は、本発明に関する参考例の第１例を示している。本参考例の場合には、外輪１ｂ及び大径側保持器３ｂの一部の形状が、上述した実施の形態の１例の場合と異なる。即ち、この外輪１ｂは、大径側外輪軌道６の軸方向両側部分、及び、小径側外輪軌道７の軸方向他側部分にのみ、それぞれ溝肩部１２ａ、１２ｂ、１３ｂを設けており、前記小径側外輪軌道７の軸方向片側部分には、溝肩部を設けていない。又、前記大径側保持器３ｂは、軸方向他端部に内向フランジ状の鍔部１９を形成し、この鍔部１９の外側面を小径側保持器４ａの軸方向片端面に、軸方向に対向させている。
【００２８】
上述の様な本参考例のタンデム型複列アンギュラ玉軸受を組み立てる場合には、先ず、図６に実線で示す様な、外輪側組立品１８ａを組み立てる。この為に、先ず、同図に鎖線で示す様に、各玉５、５を、大径側、小径側両保持器３ｂ、４ａの各ポケット１０ａ、１１ａ内に保持する。次いで、同図に矢印で示す様に、これら大径側、小径側両保持器３ｂ、４ａに保持された各玉５、５を、外輪１ｂの内径側に、この外輪１ｂの軸方向片側から挿入する。これにより、同図に実線で示す様に、前記大径側、小径側両保持器３ｂ、４ａに保持された各玉５、５を、前記大径側、小径側両外輪軌道６、７の内径側に組み付ける。この際に、前記小径側保持器４ａに保持された各玉５、５は、前記各溝肩部１２ａ、１２ｂの存在に拘らず、前記小径側外輪軌道７の内径側に、円滑に挿入する事ができる。これに対して、前記大径側保持器３ｂに保持された各玉５、５は、この大径側保持器３ｂを弾性変形させて、これら各玉５、５の外接円の直径を縮めつつ、前記溝肩部１２ａを通過する。そして、通過後は、前記大径側保持器３ｂの弾性的復元により前記各玉５、５の外接円の直径が拡がり、これら各玉５、５が前記大径側外輪軌道６の内径側に組み付けられた状態となる。
【００２９】
この様にして前記外輪側組立品１８ａを完成させた状態で、前記大径側、小径側両保持器３ｂ、４ａに保持された各玉５、５は、これら大径側、小径側両保持器３ｂ、４ａの各ポケット１０ａ、１１ａ内から内径側に抜け出る事を阻止される。又、前記大径側保持器３ｂに保持された各玉５、５は、前記大径側外輪軌道６の内側から軸方向に抜け出る事を、この大径側外輪軌道６の軸方向両側に存在する溝肩部１２ａ、１２ｂによって阻止される。又、前記小径側保持器４ａに保持された各玉５、５は、前記小径側外輪軌道７の内側から軸方向片側に抜け出る事を、前記小径側保持器４ｂの軸方向片端面が前記大径側保持器３ａの鍔部１９の外側面に当接（係合）する事によって阻止されると共に、同じく軸方向他側に抜け出る事を、前記小径側外輪軌道７の軸方向他側に存在する溝肩部１３ｂによって阻止される。従って、前記外輪１ｂと、前記大径側、小径側両保持器３ｂ、４ａと、前記各玉５、５とを、前記外輪側組立品１８ａとして一体的に取り扱う事ができる。この様な外輪側組立品１８ａを組み立てたならば、その後、この外輪側組立品１８ａの内径側に内輪２ａを、この外輪側組立品１８ａの軸方向片側から挿入する。これにより、図５に示す様に、前記大径側、小径側両保持器３ｂ、４ａに保持された各玉５、５を、前記大径側、小径側両内輪軌道８、９の外径側に組み付ける事によって、タンデム型複列アンギュラ玉軸受の組み立てを完了する。
【００３０】
上述の様に構成する本参考例のタンデム型複列アンギュラ玉軸受の場合も、このタンデム型複列アンギュラ玉軸受を、外輪側組立品１８ａと内輪２ａとの、２つの要素に分けて取り扱える。この為、この外輪側組立品１８ａを軸受メーカーで組み立ててから出荷すれば、デファレンシャル装置等の各種回転機械装置の組立現場で、前記タンデム型複列アンギュラ玉軸受を使用箇所に組み付ける作業を容易に行える。
【００３１】
又、本参考例のタンデム型複列アンギュラ玉軸受の場合には、前記大径側外輪軌道６の軸方向両側に、それぞれ溝肩部１２ａ、１２ｂを設けている。この為、例えば、一部のデファレンシャル装置の様に、運転時にのみ軸受に潤滑油が供給される装置に、本参考例のタンデム型複列アンギュラ玉軸受を組み付けて使用する場合には、運転の停止時に、前記大径側外輪軌道６の下端部に、潤滑油が溜まったままの状態にできる。従って、運転を再開した際の両列の初期潤滑が良好になる。即ち、前記大径側外輪軌道６を含む列に関しては、この大径側外輪軌道６の下端部に溜まった潤滑油によって、当該列の初期潤滑を良好にできる。一方、前記小径側外輪軌道７を含む列に関しては、運転の再開と同時に、前記大径側外輪軌道６の下端部に溜まった潤滑油の一部が、この大径側外輪軌道６部分を転走する玉５、５により押されて外部に溢れ出し、これが前記小径側外輪軌道７に入り込む事で、当該列の初期潤滑が良好になる。その他の構成及び作用は、上述した本発明の実施の形態の１例の場合と同様である。
【００３２】
［本発明に関する参考例の第２例］
図７〜８は、本発明に関する参考例の第２例を示している。本参考例の場合には、外輪１ｃ及び大径側、小径側両保持器３ｃ、４ｃの一部の形状が、前述の図１〜４に示した本発明の実施の形態の１例の場合と異なる。即ち、前記外輪１ｃは、大径側外輪軌道６の軸方向他側部分、及び、小径側外輪軌道７の軸方向両側部分にのみ、それぞれ溝肩部１２ｂ、１３ａ、１３ｂを設けており、前記大径側外輪軌道６の軸方向片側部分には、溝肩部を設けていない。又、前記大径側保持器３ｃは、内周面の軸方向他端部に内向係合部２０を、全周に亙って設けている。又、前記小径側保持器４ｃは、外周面の軸方向片端部に外向係合部２１を、全周に亙って設けている。そして、この外向係合部２１と前記内向係合部２０とを、これら両係合部２０、２１の内側面同士が対向する状態で係合させている。
【００３３】
上述の様な本参考例のタンデム型複列アンギュラ玉軸受を組み立てる場合には、先ず、図８に実線で示す様な、外輪側組立品１８ｂを組み立てる。この為に、先ず、同図に鎖線で示す様に、大径側保持器３ｃの内向係合部２０と小径側保持器４ｃの外向係合部２１とを係合させた状態で、これら大径側、小径側両保持器３ｃ、４ｃの各ポケット１０ａ、１１ａ内に、各玉５、５を保持する。次いで、同図に矢印で示す様に、これら大径側、小径側両保持器３ｃ、４ｃに保持された各玉５、５を、外輪１ｃの内径側に、この外輪１ｃの軸方向片側から挿入する。これにより、同図に実線で示す様に、前記大径側、小径側両保持器３ｃ、４ｃに保持された各玉５、５を、前記大径側、小径側両外輪軌道６、７の内径側に組み付ける。この際に、前記小径側保持器４ｃに保持された各玉５、５は、この小径側保持器４ｃを弾性変形させて、これら各玉５、５の外接円の直径を縮めつつ、前記溝肩部１３ａを通過する。そして、通過後は、前記小径側保持器４ｃの弾性的復元により前記各玉５、５の外接円の直径が拡がり、これら各玉５、５が前記小径側外輪軌道７の内径側に組み付けられた状態となる。これに対して、前記大径側保持器３ｃに保持された各玉５、５は、前記大径側外輪軌道６の内径側に、円滑に挿入する事ができる。
【００３４】
この様にして前記外輪側組立品１８ｂを完成させた状態で、前記大径側、小径側両保持器３ｃ、４ｃに保持された各玉５、５は、これら大径側、小径側両保持器３ｃ、４ｃの各ポケット１０ａ、１１ａ内から内径側に抜け出る事を阻止される。又、前記小径側保持器４ｃに保持された各玉５、５は、前記小径側外輪軌道７の内側から軸方向に抜け出る事を、この小径側外輪軌道７の軸方向両側に存在する溝肩部１３ａ、１３ｂによって阻止される。又、前記大径側保持器３ｃに保持された各玉５、５は、前記大径側外輪軌道６の内側から軸方向片側に抜け出る事を、前記大径側保持器３ｃの内向係合部２０と前記小径側保持器４ｃの外向係合部２１とが係合している事によって阻止されると共に、同じく軸方向他側に抜け出る事を、前記大径側外輪軌道６の軸方向他側に存在する溝肩部１２ｂによって阻止される。従って、前記外輪１ｃと、前記大径側、小径側両保持器３ｃ、４ｃと、前記各玉５、５とを、前記外輪側組立品１８ｂとして一体的に取り扱う事ができる。この様な外輪側組立品１８ｂを組み立てたならば、その後、この外輪側組立品１８ｂの内径側に内輪２ａを、この外輪側組立品１８ｂの軸方向片側から挿入する。これにより、図７に示す様に、前記大径側、小径側両保持器３ｃ、４ｃに保持された各玉５、５を、前記大径側、小径側両内輪軌道８、９の外径側に組み付ける事によって、タンデム型複列アンギュラ玉軸受の組み立てを完了する。
【００３５】
上述の様に構成する本参考例のタンデム型複列アンギュラ玉軸受の場合も、このタンデム型複列アンギュラ玉軸受を、外輪側組立品１８ｂと内輪２ａとの、２つの要素に分けて取り扱える。この為、この外輪側組立品１８ｂを軸受メーカーで組み立ててから出荷すれば、デファレンシャル装置等の各種回転機械装置の組立現場で、前記タンデム型複列アンギュラ玉軸受を使用箇所に組み付ける作業を容易に行える。
【００３６】
又、本参考例のタンデム型複列アンギュラ玉軸受の場合には、前記小径側外輪軌道７の軸方向両側に、それぞれ溝肩部１３ａ、１３ｂを設けている。この為、例えば、一部のデファレンシャル装置の様に、運転時にのみ軸受に潤滑油が供給される装置に、本参考例のタンデム型複列アンギュラ玉軸受を組み付けて使用する場合には、運転の停止時に、前記小径側外輪軌道７の下端部に、潤滑油が溜まったままの状態にできる。従って、運転を再開した際の両列の初期潤滑が良好になる。即ち、前記小径側外輪軌道７を含む列に関しては、この小径側外輪軌道７の下端部に溜まった潤滑油によって、当該列の初期潤滑を良好にできる。一方、前記大径側外輪軌道６を含む列に関しては、運転の再開と同時に、前記小径側外輪軌道７の下端部に溜まった潤滑油の一部が、この小径側外輪軌道７を転走する各玉５、５に押されて外部に溢れ出し、これが前記大径側外輪軌道６に入り込む事で、当該列の初期潤滑が良好になる。その他の構成及び作用は、前述の図１〜４に示した本発明の実施の形態の１例の場合と同様である。
【００３７】
尚、上述した実施の形態の１例及び参考例の各例では、大径側、小径側両保持器として、本体部分（各玉を保持する部分）の形状が円筒状であるものを採用した。但し、本発明を実施する場合には、大径側、小径側両保持器として、本体部分の形状が非円筒状のもの（例えば、部分円すい筒状のもの）を採用する事もできる。
【符号の説明】
【００３８】
１、１ａ〜１ｃ  外輪
２、２ａ  内輪
３、３ａ、３ｂ、３ｃ  大径側保持器
４、４ａ、４ｃ  小径側保持器
５    玉
６    大径側外輪軌道
７    小径側外輪軌道
８    大径側内輪軌道
９    小径側内輪軌道
１０、１０ａ  ポケット
１１、１１ａ  ポケット
１２ａ、１２ｂ  溝肩部
１３ａ、１３ｂ  溝肩部
１４ａ、１４ｂ  溝肩部
１５ａ、１５ｂ  溝肩部
１６    内輪側組立品
１７    係り代
１８、１８ａ、１８ｂ  外輪側組立品
１９    鍔部
２０    内向係合部
２１    外向係合部
【図１】
0005600926.tif 000002
【図２】
0005600926.tif 000003
【図３】
0005600926.tif 000004
【図４】
0005600926.tif 000005
【図５】
0005600926.tif 000006
【図６】
0005600926.tif 000007
【図７】
0005600926.tif 000008
【図８】
0005600926.tif 000009
【図９】
0005600926.tif 000010
【図１０】
0005600926.tif 000011
【図１１】
0005600926.tif 000012